(57)【特許請求の範囲】
【請求項１】
シートが載置される原稿載置部が設けられたベース部材と、前記原稿載置部の上方において前記ベース部材に支持されて前記シートを搬送経路に送り出す給紙機構と、を備える給紙装置であって、
前記給紙機構は、
前記シートに当接して該シートを所定の搬送方向に繰り出すピックアップローラーと、
該ピックアップローラーよりも前記搬送方向下流側に配置されて、前記シートの搬送に従動して回転する給紙ローラーと、
前記ピックアップローラー及び前記給紙ローラーを支持するホルダーと、
前記給紙ローラーが軸支されると共に、前記ホルダーを、前記ピックアップローラーが前記原稿載置部に載置されたシートに当接する下方向及び該シートから上方に離間する上方向に回動可能に支持する駆動軸と、
前記給紙ローラーに対向して配置されて前記シートを挟持するニップを形成し、該ニップにおいて前記シートを捌く分離部材と、を有し、
前記ホルダーには、前記駆動軸よりも前記搬送方向下流側に向かって延設され、前記ニップの前記搬送方向下流側において、先端が前記ニップに挟持されたシート又は前記分離部材に当接して前記ニップを維持した状態で前記ホルダーの上方向への回動を所定角度に規制する延長部が形成されており、
該延長部の先端は、断面形状が凸の湾曲形状に形成されていることを特徴とする給紙装置。
【請求項２】
前記ホルダーは、前記原稿載置部にシートが載置されるシートセット時には、前記ピックアップローラーと前記原稿載置部との間に所定の隙間を形成するように前記上方向に回動しており、
前記延長部は、前記シートセット時において、前記先端が前記駆動軸の中心と略同じ高さとなるまで前記給紙ローラーの外周を覆うように形成されていることを特徴とする請求項１に記載の給紙装置。
【請求項３】
前記延長部の先端は、低摩擦材料で形成されている、あるいは、低摩擦材料でコーティングされていることを特徴とする請求項１又は２に記載の給紙装置。
【請求項４】
前記延長部の先端に、前記搬送方向と直交する回転軸を中心として回転するコロが設けられていることを特徴とする請求項１又は２に記載の給紙装置。
【請求項５】
前記駆動軸は、前記ベース部材に着脱可能に支持されていることを特徴とする請求項１〜４のいずれか１項に記載の給紙装置。
【請求項６】
請求項１〜５のいずれか１項に記載の給紙装置を備えていることを特徴とする画像形成装置。
【発明の詳細な説明】
【技術分野】
【０００１】
本発明は、シートを送り出す給紙装置及び給紙装置を備える画像形成装置に関する。
【背景技術】
【０００２】
画像形成装置には、セットされたシートを一枚ずつ画像読取部に搬送するシート送り装置等の給紙装置が備えられている場合がある。
【０００３】
特許文献１には、シートが載置されるベース部材の上方に、搬送経路に向かってシートを送り出す給紙機構が配置された給紙装置が開示されている。この給紙装置においては、給紙機構は、シート搬送方向の上流側に配置されたピックアップローラーと下流側に配置された給紙ローラーと、ピックアップローラーと給紙ローラーとが支持されるホルダーと、を備える。ホルダーは、給紙ローラーが軸支される駆動軸を中心として、ピックアップローラーがシートに当接する下方向及びシートから上方に離間する上方向に回動可能に設けられている。
【先行技術文献】
【特許文献】
【０００４】
【特許文献１】特開２００２−２４９２４６号公報
【発明の概要】
【発明が解決しようとする課題】
【０００５】
上記特許文献１に記載の給紙装置においては、シートセット時に、ホルダーは、ピックアップローラーがベース部材から所定の間隔だけ上方に離間した待機位置まで上方向に回動し、電磁クラッチによって待機位置に維持されるように構成されている。このような電磁クラッチを使用すると、構造や制御が複雑化する。
【０００６】
一方で、このような電磁クラッチ等を使用しない場合は、搬送経路中で紙詰まりが生じた際、紙詰まりしたシートを搬送方向の上流側に向けて引き抜くと、給紙ローラーがシートに従動して給紙方向と反対方向に回転し、ホルダーは上方向に回動する。ホルダーの上方向への回動は、給紙ローラー側（搬送方向下流側）の端部が下方のシートに当接することで規制される。このようにホルダーの端部がシートに当接すると、シートに筋がついたりシートが破れたりする虞がある。さらに、給紙ローラーがホルダーから露出している場合は、給紙ローラーが汚れやすくなって、給紙不良やシートの汚れが生じる虞がある。
【０００７】
そこで、本発明は上記事情を考慮し、先端がシートに当接するまでホルダーが上方向に回動してもシートに損傷を与えることがなく、紙詰まりしたシートを円滑に引き抜くことができるシート給紙装置を提供することを目的とする。
【課題を解決するための手段】
【０００８】
上記目的を達成するため、本発明の給紙装置は、シートが載置される原稿載置部が設けられたベース部材と、前記原稿載置部の上方において前記ベース部材に支持されて前記シートを搬送経路に送り出す給紙機構と、を備える給紙装置であって、前記給紙機構は、前記シートに当接して該シートを所定の搬送方向に繰り出すピックアップローラーと、該ピックアップローラーよりも前記搬送方向下流側に配置されて、前記シートの搬送に従動して回転する給紙ローラーと、前記ピックアップローラー及び前記給紙ローラーを支持するホルダーと、前記給紙ローラーが軸支されると共に、前記ホルダーを、前記ピックアップローラーが前記原稿載置部に載置されたシートに当接する下方向及び該シートから上方に離間する上方向に回動可能に支持する駆動軸と、前記給紙ローラーに対向して配置されて前記シートを挟持するニップを形成し、該ニップにおいて前記シートを捌く分離部材と、を有し、前記ホルダーには、前記駆動軸よりも前記搬送方向下流側に向かって延設され、先端が前記ニップに挟持されたシート又は前記分離部材に当接して前記ホルダーの上方向への回動を規制する延長部が形成されており、該延長部の先端は、断面形状が凸の湾曲形状に形成されていることを特徴とする。
【０００９】
このような構成を採用することにより、先端がニップに挟持されたシートに当接するまでホルダーが上方向に回動した状態において、ホルダーとシートとの摩擦を低減できる。このため、紙詰まり処理時等にシートをニップから搬送方向下流側に引き抜く際に、シートの損傷を防ぎ、シートを円滑に引き抜くことができる。
【００１０】
本発明の給紙装置において、前記ホルダーは、前記原稿載置部にシートが載置されるシートセット時には、前記ピックアップローラーと前記原稿載置部との間に所定の隙間を形成するように前記上方向に回動しており、前記延長部は、前記シートセット時において、前記先端が前記駆動軸の中心と略同じ高さとなるまで前記給紙ローラーの外周を覆うように形成されていることを特徴としても良い。
【００１１】
このような構成を採用することにより、ホルダーがシートの上面に当接するまで上方向に回動した際のホルダーの回動角度が小さくなるので、ホルダーの回動空間を狭くできる。さらに、給紙ローラーの外周面を保護できるので、給紙ローラーへの汚れ等の付着による給紙不良や画像汚れを防止できる。
【００１２】
本発明の給紙装置において、前記延長部の先端は、低摩擦材料で形成されている、あるいは、低摩擦材料でコーティングされていることを特徴としても良い。
【００１３】
このような構成を採用することにより、シートを引き抜く際に、シートにかかる負荷をさらに低減でき、シートをより円滑に引き抜くことができる。
【００１４】
本発明の給紙装置において、前記延長部の先端に、前記搬送方向と直交する回転軸を中心として回転するコロが設けられていることを特徴としても良い。
【００１５】
このような構成を採用することにより、シートを引き抜く際に、シートにかかる負荷をさらに低減でき、シートをより円滑に引き抜くことができる。
【００１６】
本発明の給紙装置において、前記駆動軸は、前記ベース部材に着脱可能に支持されていることを特徴としても良い。
【００１７】
このような構成を採用することにより、ホルダーやピックアップローラー、給紙ローラーの交換やメンテナンスを容易にできる。
【００１８】
本発明の画像形成装置は、上記のいずれかに記載の給紙装置を備えていることを特徴とする。
【発明の効果】
【００１９】
本発明によれば、先端がニップに挟持されたシートに当接するまでホルダーが上方向に回動した状態において、ホルダーとシートとの摩擦を低減できる。このため、紙詰まり処理時等にシートをニップから搬送方向下流側に引き抜く際に、シートの損傷を防ぎ、シートを円滑に引き抜くことができる。
【図面の簡単な説明】
【００２０】
【図１】本発明の一実施形態に係る画像形成装置の全体構成を模式的に示す正面図である。
【図２】本発明の一実施形態に係る給紙装置（カバー部材を除く）の斜視図である。
【図３】本発明の一実施形態に係る給紙装置の正面断面図である。
【図４】本発明の一実施形態に係る給紙装置において、給紙部を示す斜視図である。
【図５】本発明の一実施形態に係る給紙装置において、シートセット位置におけるホルダーの姿勢を示す正面断面図である。
【図６】本発明の一実施形態に係る給紙装置において、給紙位置におけるホルダーの姿勢を示す正面断面図である。
【図７】本発明の一実施形態に係る給紙装置において、退避位置におけるホルダーの姿勢を示す正面断面図である。
【発明を実施するための形態】
【００２１】
以下、図面を参照しつつ、本発明の一実施形態に係る給紙装置及び画像形成装置について説明する。
【００２２】
図１を参照して、画像形成装置としてのカラープリンター１の全体の構成について説明する。図１はカラープリンターの全体構成を模式的に示す正面図である。以下、図１における紙面手前側をカラープリンターの正面側（前側）とし、左右方向はカラープリンター１を正面から見た方向を基準とする。
【００２３】
図１に示されるように、カラープリンター１は、画像形成部２と、画像形成部２の上方に配置される画像読取部３と、を備える。画像読取部３は、原稿となるシートを自動に搬送する給紙装置４と、搬送されたシートの画像を読み取る読取装置５と、を備える。
【００２４】
画像形成部２には、画像読取部３との間に、前面と左側面とが開口した胴内排紙空間７が形成されている。胴内排紙空間７の下方において、画像形成部２の上面には排紙トレイ８が設けられている。また、画像形成部２には、下方に給紙カセット９が装着され、給紙カセット９の上方には、レーザー・スキャニング・ユニット（ＬＳＵ）で構成される露光装置１０と、ローラー間に架設された中間転写ベルト１１と、中間転写ベルト１１の下部に沿って並列して配置された４つの作像装置１２と、４色のトナーを収容したトナーコンテナ１３と、が設けられている。
【００２５】
各作像装置１２には、像担持体である感光体ドラム１５が回転可能に設けられており、感光体ドラム１５の周囲には、帯電装置１６と、現像装置１７と、中間転写ベルト１１との間に一次転写部を形成する転写ローラー１８と、クリーニング装置１９と、除電装置２０とが、感光体ドラム１５の回転方向に沿って順に配置されている。
【００２６】
また、中間転写ベルト１１の右側には、転写ローラー２２が配置されており、中間転写ベルト１１と転写ローラー２２との間に二次転写部２１を形成している。二次転写部２１の上方には定着装置２３が設けられ、定着装置２３の上方には、排紙トレイ８に面した排紙装置２４が設けられている。さらに、給紙カセット９から二次転写部２１と定着装置２３とを通って排紙装置２４へ向かうシートの搬送経路２５が形成されている。
【００２７】
このような構成を備えたカラープリンター１の画像形成動作を説明する。各作像装置１２において、帯電装置１６によって感光体ドラム１５の表面が帯電された後、露光装置１０からのレーザー光（矢印Ｐ参照）により、画像読取部３で読み取られた画像に応じた静電潜像が感光体ドラム１５の表面に形成される。静電潜像は、トナーコンテナ１３から供給されるトナーを用いて現像装置１７によって対応する色のトナー像に現像される。このトナー像は、転写ローラー１８によって中間転写ベルト１１の表面に一次転写される。以上の動作を各作像装置１２が順次繰り返すことによって、中間転写ベルト１１上にフルカラーのトナー像が形成される。なお、感光体ドラム１５に残留したトナー及び電荷は、クリーニング装置１９及び除電装置２０によって除去される。
【００２８】
一方、給紙カセット９から給紙されたシートは、上記した画像形成動作とタイミングを合わせて搬送経路２５に沿って二次転写部２１へと搬送され、二次転写部２１において、中間転写ベルト１１のフルカラーのトナー像がシートに二次転写される。トナー像を二次転写されたシートは、搬送経路２５を下流側へと搬送されて定着装置２３に進入し、定着装置２３においてシートにトナー像が定着される。トナー像が定着されたシートは、排紙装置２４から排紙トレイ８上に排出される。
【００２９】
次に、図２〜図４を参照して、給紙装置４について説明する。図２は給紙装置の斜視図、図３は給紙装置の断面図、図４は給紙部の斜視図である。なお、図２にはカバー部材を省略してある。
【００３０】
図２及び図３に示されるように、給紙装置４は、シートが載置されるベース部材３１と、ベース部材３１に回動可能に支持されるカバー部材３２と、ベース部材３１に支持される給紙機構３４と、を備える。
【００３１】
ベース部材３１は、扁平な略直方体状の形状であり、底部４０と前壁４１及び後壁４２とを有する。前壁４１は、底部４０の前縁の左半分に沿って設けられ、後壁４２は、底部４０の後縁に沿って設けられている。底部４０の上面の右半分には、排紙トレイ４３が形成されており、排紙トレイ４３の上方には、左下向きの傾斜面４４ａを含む原稿載置部４４が設けられている。原稿載置部４４には、シートの幅方向を整合するカーソル４５が設けられている。
【００３２】
カバー部材３２は、正面形状が略直角三角形状の平板状の部材である。カバー部材３２は、ベース部材３１の前壁４１と後壁４２との間の空間を覆うように、ベース部材３１の底部４０の左端部に、左端部を回動支点、右端部を自由端として上下方向に回動可能に支持されている。カバー部材３２が閉じられると、ベース部材３１の底部４０とカバー部材３２との間に、上側の入口から下側の出口に向かって横向きのＵ字状に湾曲したシートの搬送経路４６が形成される。搬送経路４６の入口側は原稿載置部４４に面しており、出口側は排紙トレイ４３に面している。カバー部材３２を開くと、搬送経路４６のＵ字状湾曲部までの経路が露出する。
【００３３】
搬送経路４６には、上流端にレジストローラー対４７が設けられ、レジストローラー対４７の下流側には複数個の搬送ローラー対４８が所定の間隔で設けられている。搬送経路４６の下流側には、画像が読み取られる原稿ガイド板４９が設けられている。原稿ガイド板４９において、搬送されたシートの画像が読取装置５（図１参照）で読み取られる。なお、原稿ガイド板４９はシェーディング板を兼ねている。
【００３４】
図４に示されるように、給紙機構３４は、搬送経路４６の入口側において、原稿載置部４４の上方のベース部材３１の前壁４１と後壁４２との間に支持されている。給紙機構３４は、搬送経路４６にシートを送り出すピックアップローラー５１及び給紙ローラー５２と、ピックアップローラー５１及び給紙ローラー５２を支持するホルダー５３と、ホルダー５３を回動可能に支持する駆動軸５４と、給紙ローラー５２との間でシートを分離する分離パッド５５（分離部材）と、を有する。
【００３５】
ホルダー５３は、図４に示されるように、下面が開口した略直方体状の箱状の部材であり、前板６１及び後板６２と、上板６３と、を有する。上板６３には、シート搬送方向における中央部に、下方に凸状のリブ６４が形成されている。また、上板６３には、右端縁（搬送方向上流側の縁）に矩形の切り欠き６５が形成されている。さらに、上板６３には、左端縁（搬送方向下流側の縁）の前後方向中央に、左側（搬送方向下流側）に向かって下向きの円弧状に湾曲した延長部６６が形成されている。延長部６６の先端には、断面形状が下方に凸の湾曲形状の当接部６７が形成されている。
【００３６】
駆動軸５４は、前後板６１、６２の左側（搬送方向下流側）の部分に、前後方向に延びるように挿通されている。駆動軸５４の前端はベース部材３１の前壁４１に回転可能かつ着脱可能に支持され、後端は後壁４２に支持されて、モーター等の駆動源（図示省略）にギア列等を介して着脱可能に接続されている。
【００３７】
前板６１と駆動軸５４との間には、トルクリミッタ（図示省略）が介装されている。トルクリミッタは、駆動軸５４から前板６１に作用する回転トルクが一定値以下の場合には、駆動軸５４の両方向の回転を前板６１、すなわち、ホルダー５３に伝達してホルダー５３を駆動軸５４と一体に回動させ、回転トルクが一定値を超えると、駆動軸５４を前板６１、すなわち、ホルダー５３に対して空転させる。
【００３８】
ピックアップローラー５１は、ベース部材３１にセットされたシートの最上位置のシートに接触して該シートを左方向（所定の搬送方向）に繰り出すローラーであり、ホルダー５３の切り欠き６５に収容されて、前後板６１、６２に回転可能に支持されている。ピックアップローラー５１と駆動軸５４とはタイミングベルト（図示省略）によって連結されており、駆動軸５４の回転がピックアップローラー５１に伝達される。また、駆動軸５４によってホルダー５３が回動する際、ホルダー５３は、ピックアップローラー５１が原稿載置部４４に載置されたシートに当接する下方向及び該シートから上方に離間する上方向に回動する。
【００３９】
給紙ローラー５２は、ピックアップローラー５１で繰り出されたシートをレジストローラー対４７に向かって搬送するローラーであり、ホルダー５３の前後板６１、６２の間に収容されて、駆動軸５４に軸支されている。給紙ローラー５２は、上側が上板６３で覆われ、左側（搬送方向下流側）が延長部６６で覆われている。
【００４０】
駆動軸５４と給紙ローラー５２との間には、ワンウェイクラッチ（図示省略）が介装されている。ワンウェイクラッチは、駆動軸５４の搬送方向（図３の時計周り方向）への回転は給紙ローラー５２に伝達して給紙ローラー５２と駆動軸５４とを一体に搬送方向に回転させる一方で、搬送方向に搬送されるシートに従動して給紙ローラー５２が搬送方向へ回転する場合には、給紙ローラー５２を駆動軸５４に対して空転させるように作用する。
【００４１】
前後板６１、６２には、搬送方向における中央付近に、ストッパー６９が支持されて、ホルダー５３の下面から垂下している。ストッパー６９のシート搬送方向における上流側の面は平面となっている。ストッパー６９は、ホルダー５３が上方向に回動した状態では、ロック機構（図示省略）によって回動不能となって、シートの先端に当接してシートの位置決めを行う。一方、ホルダー５３が下方向に回動した状態では、ロック機構が解除されて回動可能となり、シートの通過を許可する。
【００４２】
分離パッド５５は、給紙ローラー５２の下方に、給紙ローラー５２と接触してニップＮを形成するように支持されている。分離パッド５５は、高摩擦性を有する材料で形成されている。
【００４３】
上記構成を有する給紙装置４におけるシート搬送作用を、図５〜図７を参照して説明する。図５〜図７はホルダーの姿勢を示す断面図であり、図５はシートセット位置、図６は給紙位置、図７は退避位置を示す。
【００４４】
図５に示されるように、シートをセットするシートセット時には、ホルダー５３は、延長部６６の当接部６７が、駆動軸５４の中心Ｃとほぼ同じ高さに位置し、上板６３が略水平なシートセット位置に支持されている。シートセット位置においては、ピックアップローラー５１は、回転軸の中心が、駆動軸５４の中心Ｃよりもやや高い位置に位置しており、ピックアップローラー５１とベース部材３１の原稿載置部４４との間には所定の間隔が開けられている。
【００４５】
シートＳは、原稿載置部４４に、先端がストッパー６９（図４参照）に当接するまで差し込まれてセットされる。
【００４６】
給紙動作が開始されると、駆動源によって駆動軸５４が搬送方向（図５の時計周り方向）に回転する。これによって、ホルダー５３は下方向に回動し、図６に示されるように、セットされたシートＳの最上位置のシートＳ１にピックアップローラー５１が接触する。ピックアップローラー５１が最上位置のシートＳ１に接触すると、ホルダー５３の回動が規制され、ホルダー５３から駆動軸５４にかかる回転トルクが一定値を超え、駆動軸５４はホルダー５３に対して空転する。すなわち、ホルダー５３は、ピックアップローラー５１が最上位置のシートＳ１に接触した給紙位置に支持される。なお、駆動軸５４はホルダー５３に対して給紙方向に回転する。
【００４７】
この駆動軸５４の回転によって、給紙ローラー５２とピックアップローラー５１とが搬送方向に回転し、最上位置のシートＳ１が、ピックアップローラー５１によって給紙ローラー５２と分離パッド５５との間のニップＮに繰り出される。繰り出されたシートＳ１は、給紙ローラー５２と分離パッド５５とによって捌かれて、複数枚のシートが送り出された場合には、最上位の１枚のシートＳ１のみが送り出される。
【００４８】
送り出されたシートＳ１は搬送経路４６に入り、レジストローラー対４７によってタイミングを調整された後、搬送経路４６に沿って搬送される。なお、シートＳ１がレジストローラー対４７に搬送された時点で駆動軸５４の駆動は停止され、レジストローラー対４７の搬送力のみによってシートＳ１が搬送される。この際、給紙ローラー５２はシートＳ１に従動して駆動軸５４に対して空転する。
【００４９】
レジストローラー対４７を通過したシートは、搬送経路４６に沿って搬送ローラー対４８によって搬送され、原稿ガイド板４９において画像が読み取られる。その後、搬送経路４６の出口から、排紙トレイ４３へ排出される。
【００５０】
ニップＮを通過中のシートが紙詰まりした場合は、カバー部材３２を上方向に回動させて搬送経路４６を開放し、図７に示されるように、搬送方向上流側にシートＳ１を引き抜く（図７の矢印参照）。この際、給紙ローラー５２はシートＳ１との摩擦によって、搬送方向と反対方向（図７の反時計回り方向）に従動回転する。給紙ローラー５２の回転は駆動軸５４に伝達されて、駆動軸５４も反時計回り方向に回転する。これにより、ホルダー５３は駆動軸５４を中心として上方向に回動する。紙詰まりしたシートＳ１の位置によっては、ホルダー５３の延長部６６の当接部６７が、引き抜かれているシートＳ１に当接する。なお、シートの先端がニップＮに挟まれた場合は、当接部６７が分離パッド５５に当接する場合もある。
【００５１】
延長部６６の当接部６７がシートＳ１に当接すると、ホルダー５３の回動が規制されて、ホルダー５３から駆動軸５４にかかる回転トルクが一定値を超え、駆動軸５４はホルダー５３に対して空転するようになる。すなわち、ホルダー５３は、延長部６６の当接部６７がシートＳ１に当接した退避位置に支持される。例えば、延長部６６の当接部６７がシートＳ１に当接するまで、ホルダー５３は、シートセット位置から反時計周り方向に約３５°回動する。
【００５２】
紙詰まり処理終了後にカバー部材３２を下方向に回動させると、上方向に回動したホルダー５３にカバー部材３２が当たり、ホルダー５３はカバー部材３２で押されて駆動軸５４を中心として下方向に回動する。
【００５３】
上記説明したように本発明の給紙装置４においては、ホルダー５３の延長部６６の当接部６７がシートＳ１に当接している場合、紙詰まりしたシートを引き抜く際に、当接部６７は断面が下方に凸の湾曲形状に形成されているので、当接部６７とシートＳ１との摩擦を低減できる。したがって、ホルダー５３からシートＳ１にかかる負荷が小さくなるので、シートＳ１に筋が付いたり、シートＳ１が破れたりする事態を防止でき、シートＳ１に負荷をかけずに円滑に引き抜くことができる。
【００５４】
また、当接部６７を、フッ素樹脂やフッ素樹脂を含むＰＯＭ（ポリオキシメチレン）等の低摩擦材料で形成したり、フッ素樹脂等の低摩擦材料でコーティングしたりすることによって、シートとの摩擦をさらに低減でき、シートＳ１の損傷の防止と円滑な引き抜きをより確実に行うことができる。あるいは、当接部６７に、シート搬送方向と直交する軸を中心に回転するコロを設けてもよい。
【００５５】
また、ホルダー５３の退避位置において、延長部６６の当接部６７がシートＳ１の上面に当接した状態でのホルダー５３の回動角度は約３５°であり、紙詰まりを処理した後でカバー部材３２を閉じると、ホルダー５３はカバー部材３２で押されて下方向に容易に回動する。すなわち、カバー部材３２を閉じる際に、カバー部材３２とホルダー５３との間に負荷がかかったり、カバー部材３２の閉動作を妨げたりするような事態が生じないので、カバー部材３２やホルダー５３の破損などを防止できる。また、ホルダー５３の回動スペースを狭くできる。なお、退避位置におけるホルダー５３の回動角度θは、２５°〜９０°が好ましく、３５°が特に好ましい。２５°よりも小さい場合は、紙詰まり処理時にシートを引き抜きにくくなったり、引き抜かれるシートからホルダー５３に上方向の力がかかってホルダー５３の当接部６７がシートＳ１に強く押し付けられたりする場合がある。一方、９０°よりも大きい場合は、カバー部材３２を閉じる際にカバー部材３２と干渉する虞がある。
【００５６】
また、カバー部材３２とホルダー５３とは共に搬送方向の下流側の支点を中心として回動するので、カバー部材３２を下方向に回動させた際に、カバー部材３２からホルダー５３にかかる抵抗が少なく、ホルダー５３はカバー部材３２で押されて円滑に下方向に回動できる。
【００５７】
さらに、給紙ローラー５２の外周のほとんどの部分は延長部６６で覆われているので、汚れなどが付着しにくく、シート汚れや給紙不良を防止できる。
【００５８】
さらに、ホルダー５３を給紙位置やシートセット位置、退避位置に維持するために、電磁クラッチ等ではなく汎用性の高いトルクリミッタを使用しているので、給紙装置４の構成や制御を容易にできる。さらに、ホルダー５３の上方向への回動を規制して退避位置に維持するための部位を新たに設ける必要がない。
【００５９】
さらに、駆動軸５４はベース部材３１に着脱可能に支持されているので、ピックアップローラー５１や給紙ローラー５２、ホルダー５３の交換やメンテナンスを容易に行うことができる。
【００６０】
なお、本実施形態では、給紙機構３４がベース部材３１に配置された給紙装置４について説明したが、給紙機構３４がカバー部材３２に配置された給紙装置においても、紙詰まり処理時にホルダーが上方向に回動するように構成されている場合は、本発明の構成を適用することができる。
【００６１】
さらに、上記した本発明の実施形態の説明は、本発明に係る給紙装置及び画像形成装置における好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００６２】
１  カラープリンター（画像形成装置）
４  給紙装置
３１  ベース部材
３４  給紙機構
４４  原稿載置部
４６  搬送経路
５１  ピックアップローラー
５２  給紙ローラー
５３  ホルダー
５４  駆動軸
５５  分離パッド（分離部材）
６６  延長部
６７  当接部（先端）
【図１】
0006292144.tif 000002
【図２】
0006292144.tif 000003
【図３】
0006292144.tif 000004
【図４】
0006292144.tif 000005
【図５】
0006292144.tif 000006
【図６】
0006292144.tif 000007
【図７】
0006292144.tif 000008